(57)【要約】      （修正有）【課題】靴の裏面と後端をズボンの裾まで被覆し固持させ、素早く着脱可能な底部無し防水オーバーシューズを形成させることができ、素早く着脱可能な底部無し防水オーバーシューズを提供する。【解決手段】前面カバー１０と、後面カバー１１と、定型ワイヤ１２及び挟持固定部材１３で構成される構造を少なくとも含み、前記前面カバーと後面カバーは互いに溶接され、繋ぎ箇所にはＣ形状の挟持固定部材が溶接され、挟持固定部材はバネ片、緩衝部材、滑り止め部材、固定部材及びバッグ等を含み、前記前面カバー内の環状部には二列の嵌凸部が形成され、前記嵌凸部内には定型ワイヤが嵌通されて設置され、膠質物質を充填させて固持させ、前記定型ワイヤの端部は固定部材の固着孔部間に穿設され、後面カバーの一辺の重なり合う部分にはマジックテープ（登録商標）部材が設置される。【選択図】図１
0003169562.tif 000002
【実用新案登録請求の範囲】
【請求項１】
素早く着脱可能な底部無し防水オーバーシューズであって、
前面カバーと、後面カバーと、定型ワイヤと、挟持固定部材で構成される構造を少なくとも含み、
前記前面カバーと後面カバーは互いに溶接されて、繋ぎ箇所にはＣ形状の挟持固定部材が溶接され、挟持固定部材は、バネ片と、緩衝部材と、滑り止め部材と、固定部材と、バッグ等を含み、前記前面カバー内の環状部には二列の嵌凸部が形成され、前記嵌凸部内には定型ワイヤが嵌通されて設置され、膠質物質を充填させて固持させ、前記定型ワイヤの端部は固定部材の固着孔部間に穿設され、後面カバーの一辺の重なり合う部分にはマジックテープ（登録商標）部材が設置され、これにより、便利で素早い着脱が可能になり、更には収納と再使用もより手軽になることを特徴とする、素早く着脱可能な底部無し防水オーバーシューズ。
【請求項２】
前記定型ワイヤは形状記憶ワイヤ或いはプラスチックワイヤ又は細いワイヤロープ若しくは細いスプリングワイヤにより実施されることを特徴とする、請求項１に記載の素早く着脱可能な底部無し防水オーバーシューズ。
【請求項３】
前記プラスチックワイヤの材質はポリプロピレン或いはポリエチレンテレフタレート又はナイロン若しくはポリカーボネート無いしはポリオキシメチレンやＡＢＳ樹脂等の材料により実施されることを特徴とする、請求項２に記載の素早く着脱可能な底部無し防水オーバーシューズ。
【請求項４】
前記緩衝部材はゴム或いはシリカゲル又は発泡材料により実施されることを特徴とする、請求項１に記載の素早く着脱可能な底部無し防水オーバーシューズ。
【請求項５】
前記底部無し防水オーバーシューズは一体成型で実施されることを特徴とする、請求項１に記載の素早く着脱可能な底部無し防水オーバーシューズ。
【請求項６】
前記前面カバーと後面カバーの材質は熱可塑性ポリウレタン或いは熱可塑性シリカゲルにより実施されることを特徴とする、請求項１に記載の素早く着脱可能な底部無し防水オーバーシューズ。
【請求項７】
前記前面カバーは長繊維不織布或いは熱可塑性メッシュを貼り合わせて実施されることを特徴とする、請求項１に記載の素早く着脱可能な底部無し防水オーバーシューズ。
【請求項８】
前記長繊維不織布或いは熱可塑性メッシュ材質はポリプロピレン又はポリエチレンテレフタレート若しくはナイロン等の材料で実施されることを特徴とする、請求項７に記載の素早く着脱可能な底部無し防水オーバーシューズ。
【請求項９】
前記バネ片は湾曲状スプリングにより実施されることを特徴とする、請求項１に記載の素早く着脱可能な底部無し防水オーバーシューズ。
【請求項１０】
素早く着脱可能な底部無し防水オーバーシューズであって、
前面カバーと、後面カバーと、挟持固定部材で構成される構造を少なくとも含み、
前記前面カバーと後面カバーは互いに溶接されて、繋ぎ箇所にはＣ形状の挟持固定部材が溶接され、挟持固定部材はバネ片、緩衝部材、滑り止め部材及びバッグ等を含み、後面カバーの一辺の重なり合う部分にはマジックテープ（登録商標）部材が設置され、これにより、便利で素早い着脱が可能になり、更には収納と再使用もより手軽になることを特徴とする、素早く着脱可能な底部無し防水オーバーシューズ。
【考案の詳細な説明】
【技術分野】
【０００１】
本考案に係る素早く着脱可能な底部無し防水オーバーシューズは、防水オーバーシューズの構造に関し、オーバーシューズ間に挟持固定部材、定型ワイヤ及びマジックテープ（登録商標）部材を固定させて設置させる事での、着脱の利便性向上、各型式の靴への対応、及び高い耐用性等機能の提供に関する。
【背景技術】
【０００２】
水は人類にとって重要な資源であり、更には大地を育み万物の生命の成長に欠かせず、これは人間生活にも限りない利便性と実用性を恵むが、地球温暖化の影響による気候の変遷の結果、徐々に多雨と干ばつ現象が見られる様になり、これが人間にとっての困難を招き、このため雨が降る事は一部の人間にとってはこの問題の解決を意味するが、他方の人間にとっては困難が増える事を意味し、どちらが好ましいかは一概に判断出来ない。
【０００３】
気候の変化により時に降雨が発生し、降雨時に使用される防水用具は雨合羽及び雨傘等に分けられ、但し上着とズボンの防水用のみで、ズボンの裾及び靴と靴下部分は常に大量の雨水にさらされ、人間に相当な困難を与え、バイク等の運転者にとっては現在市場にある防水オーバーシューズは底部有りオーバーシューズである為、防水オーバーシューズの靴型は単一の型式しかなく、各種の靴型には対応出来ず、着脱の煩雑さや装着の面倒さに繋がり、雨傘の使用者には、オーバーシューズは装着が不便な物と映る。
【先行技術文献】
【特許文献】
【０００４】
【特許文献１】台湾特許第Ｍ２４４７６２号
【考案の概要】
【考案が解決しようとする課題】
【０００５】
しかしながら、前述した従来の技術では、例えば台湾特許第Ｍ２４４７６２号の「被覆式防水オーバーシューズ構造の改良」ではカバーする前方部にマスクを固定させて設置させ、マスクはカバーの底から上へと包囲して行き固定環状を形成させて連結部材とし、該案では利便性を謳っているが、前端をマスク連結部材とすると、マスクが長期間地面に接触されて摩擦され断裂されて使用不可能となり被覆出来なくなる為、この特許は重大な欠点と改良の余地を有すると言える。
【０００６】
よって、本考案者は積極的に生活用品の設計改良を試み、素早く着脱可能な底部無し防水オーバーシューズを提案し、これは前、後面カバーの繋ぎ箇所に挟持固定部材を溶接させて、また前面カバーの内縁の環状部には定型ワイヤを設置させて、後面カバー側端にはマジックテープ（登録商標）部材を設置させて、上から下への素早い装着が可能な防水オーバーシューズを提供し、挟持固定部材は各種の靴型に応用され緊密に被覆させ挟持固定させ、また定型ワイヤも各種の靴型に応用され靴底の前方辺縁を被覆させ、前述の作用はバイク等の運転者或いは歩行者若しくは登山者に使用され防水、防虫、蛇の噛み傷防止の機能と共に提供され、従来の防水オーバーシューズの耐用性及び被覆性不良等の欠点を有効的に解決する。
【０００７】
本考案は、このような従来の問題に鑑みてなされたものである。上記課題解決のため、本考案は、前面カバー内の環状部の辺縁を被覆させる定型ワイヤを提供することを主目的とする。
【０００８】
また、本考案に係る素早い着脱の可能な底部無し防水オーバーシューズは、後面カバー側辺開口部に設置されるマジックテープ（登録商標）部材を提供する事を副目的とする。
本考案に係る素早い着脱の可能な底部無し防水オーバーシューズは、前、後面カバーの溶接箇所に固着される挟持固定部材を提供する事を第三の目的とする。
本考案に係る素早い着脱の可能な底部無し防水オーバーシューズは、バネ片、緩衝部材、滑り止め部材、固定部材及びバッグを含む挟持固定部材を提供する事を第四の目的とする。
本考案に係る素早い着脱の可能な底部無し防水オーバーシューズは、形状記憶ワイヤ或いはプラスチックワイヤ又は細いワイヤロープ若しくは細いスプリングワイヤで実施される定型ワイヤを提供する事を第五の目的とする。
本考案に係る素早い着脱の可能な底部無し防水オーバーシューズは、一体成型で実施される防水オーバーシューズを提供する事を第六の目的とする。
本考案に係る素早い着脱の可能な底部無し防水オーバーシューズは、ゴム或いはシリカゲル又は発泡材料で実施される緩衝部材を提供する事を第七の目的とする。
本考案に係る素早い着脱の可能な底部無し防水オーバーシューズは、熱可塑性ポリウレタン（THERMOPLASTIC POLYURETHANE、略称TPU）或いは熱可塑性シリカゲル（THERMOPLASTIC SILICONE）で実施される前面カバーと後面カバーの材質を提供する事を第八の目的とする。
本考案に係る素早い着脱の可能な底部無し防水オーバーシューズは、長繊維不織布或いは熱可塑性メッシュの貼り合わせで実施される前面カバーを提供する事を第九の目的とする。
本考案に係る素早い着脱の可能な底部無し防水オーバーシューズは、ポリプロピレン（Polypropylene、略称PP）或いはポリエチレンテレフタレート（Polyethylene terephthalate、略称PET）若しくはナイロン（NYLON）等の材料で実施される長繊維不織布或いは熱可塑性メッシュ材質を提供する事を第十の目的とする。
【課題を解決するための手段】
【０００９】
上述した課題を解決し、目的を達成するために、本考案に係る底部無し防水オーバーシューズは、前面カバー、後面カバー、定型ワイヤ及び挟持固定部材で構成される構造を少なくとも含み、前面カバーと後面カバーは互いに溶接され、繋ぎ箇所にはＣ形状の挟持固定部材が溶接され、挟持固定部材はバネ片、緩衝部材、滑り止め部材、固定部材及びバッグ等を含み、前面カバー内の環状部には二列の嵌凸部が形成され、嵌凸部内には定型ワイヤが嵌通されて設置され、膠質物質を充填させて固持させ、定型ワイヤの端部は固定部材の固着孔部間に穿設され、後面カバーの一辺の重なり合う部分にはマジックテープ（登録商標）部材が設置され、これにより、便利で素早く着脱でき、更には収納と再使用も手軽になることを特徴とする。
【図面の簡単な説明】
【００１０】
【図１】本考案に係る素早く着脱可能な底部無し防水オーバーシューズの立体概略図である。
【図２】本考案に係る素早く着脱可能な底部無し防水オーバーシューズの立体分解概略図である。
【図３】本考案に係る素早く着脱可能な底部無し防水オーバーシューズの前方から見た断面概略図である。
【図４−１】本考案に係る素早く着脱可能な底部無し防水オーバーシューズに設置される定型ワイヤの概略図である。
【図４−２】本考案に係る素早く着脱可能な底部無し防水オーバーシューズに設置される定型ワイヤの断面概略図である。
【図５】本考案に係る素早く着脱可能な底部無し防水オーバーシューズに設置される挟持固定部材の概略図である。
【図６】本考案に係る素早く着脱可能な底部無し防水オーバーシューズの後面カバーに設置されるマジックテープ（登録商標）部材の概略図である。
【図７】本考案に係る素早く着脱可能な底部無し防水オーバーシューズを装着した様子の概略図である。
【考案を実施するための形態】
【００１１】
以下に図面を参照して、本考案を実施するための形態について、詳細に説明する。なお、本考案は、以下に説明する実施形態に限定されるものではない。
【００１２】
本考案の実施形態に係る底部無し防水オーバーシューズは本考案に係る素早い着脱の可能な底部無し防水オーバーシューズの、前面カバーと後面カバーが溶接されて形成される底部無し防水オーバーシューズであり、前面カバーと後面カバーの溶接箇所には挟持固定部材が固着され、挟持固定部材の両端部には滑り止め部材が設けられ、靴を被覆させ、前面カバー内の環状の辺縁は定型ワイヤを被覆させ、形体維持と被覆に用いられ、後面カバーの側端にはマジックテープ（登録商標）部材が設置され、これにより挟持固定部材と定型ワイヤ及びマジックテープ（登録商標）部材を結合させる事で、靴の裏面と後端をズボンの裾まで被覆させ固持させる、素早く着脱可能な底部無し防水オーバーシューズを形成させる。
【００１３】
まず、図１と図２によれば、本考案に係る底部無し防水オーバーシューズ１は、前面カバー１０、後面カバー１１、定型ワイヤ１２及び挟持固定部材１３等が結合される構造であり、前面カバー１０はカバーに相似し、その材質は熱可塑性ポリウレタン（THERMOPLASTIC POLYURETHANE、略称TPU）或いは熱可塑性シリカゲル（THERMOPLASTIC SILICONE）であり、熱圧或いは射出又は液体注入により成型され、更に長繊維不織布或いは熱可塑性メッシュを貼り合わせた物で、その材質はポリプロピレン（Polypropylene、略称PP）或いはポリエチレンテレフタレート（Polyethylene terephthalate、略称PET）若しくはナイロン（NYLON）等の材料で実施され、内部の環状部の辺縁には嵌凸部１０１が形成され定型ワイヤ１２が嵌入され、二列の嵌凸部１０１間には膠質物質が充填されて定型ワイヤ１２を嵌凸部１０１間に固持させ、前面カバー１０の後端と後面カバー１１の前端は相互に溶接されて結合され、更に挟持固定部材１３を固着させて、底部無し防水オーバーシューズ１を形成させる。
【００１４】
後面カバー１１はＬ状の中空の筒に相似しており、その材質は熱可塑性ポリウレタン（THERMOPLASTIC POLYURETHANE、略称TPU）或いは熱可塑性シリカゲル（THERMOPLASTIC SILICONE）であり、熱圧或いは射出若しくは液体注入により成型されるが、側辺には開口が形成され、開口端部の両端にはマジックテープ（登録商標）部材１１０及び１１１がそれぞれ設置され（図示せず、図６に示す）、後面カバー１１の前端と前面カバー１０の後端は相互に溶接されて結合され、更に挟持固定部材１３を固着させて、底部無し防水オーバーシューズ１を形成させる。
【００１５】
定型ワイヤ１２は環状型の直線になっており、また環状型の一端には梯子形状が形成され、これは形状記憶ワイヤ或いはプラスチックワイヤ又は細いワイヤロープ若しくは細いスプリングワイヤ等の材料で実施され、他にも定型ワイヤ１２は環状型の曲線で実施され、ここではプラスチックワイヤの材質はポリプロピレン（Polypropylene、略称PP）或いはポリエチレンテレフタレート（Polyethylene terephthalate、略称PET）又はナイロン（NYLON）若しくはポリカーボネート（POLY-CARBONATE、略称PC）無いしはポリオキシメチレン（POLYOXYMETHYLEN、略称POM）やＡＢＳ樹脂（ACRYLONITRILE-BUTADIENE-STYRENE、略称ABS）等の材料で実施され、これは前面カバー１０内の環状部の二列の嵌凸部１０１の間に嵌通されて設置され、膠質物質を充填させて定型ワイヤ１２を嵌凸部１０１の間に固持させ、外に露出する両端部は挟持固定部材１３の両側の固定部材１３３の固着孔部１３３０の間に穿設され、底部無し防水オーバーシューズ１の外観の定型を強化させる。
【００１６】
挟持固定部材１３はＣ型クリップに相似しており、これはバネ片１３０、緩衝材１３１、滑り止め部材１３２、複数の固定部材１３３及びバッグ１３４の結合を含み、バネ片１３０はＣ字型に湾曲されて、または湾曲状スプリングで実施され、両端部は湾曲ヘアピン状に相似するように形成され、バネ片１３０内縁部には緩衝材１３１が設置され、緩衝材１３１はゴム或いはシリカゲル若しくは発泡材料で実施され、バネ片１３０と足の甲が直接接触されて摩擦される事で起こる不快感を減らし、バネ片１３０と緩衝材１３１の外層はバッグ１３４を被覆させ前面カバー１０と後面カバー１１を互いに溶接させ、バネ片１３０の両側には固定部材１３３がそれぞれ溶接されて設置されるかリベットで留められて固持され、ここには定型ワイヤ１２の端部が穿設されて固持され、またバネ片１３０はヘアピン状の端部に相似しており、上面と底面には滑り止め部材１３２がそれぞれ設置され、滑り止め部材１３２は滑り止めの効果を有し、これは格子状或いは点状のエンボスで実施され、耐磨耗性と耐用性を増加させ、これにより、挟持固定方式で固持される事で、素早い着脱が可能な使用上の利便性に優れる磨損に強い底部無し防水オーバーシューズ１を提供する。
【００１７】
しかし、本考案の底部無し防水オーバーシューズ１の実施形態の、前面カバー１０と後面カバー１１は一体射出で成型され、定型ワイヤ１２と挟持固定部材１３等に結合されて構成される構造となり、また、前面カバー１０と後面カバー１１が結合されて実施される、或いは一体射出成型で実施されるかに拘らず、いずれも前述の定型ワイヤ１２を設置せずに実施されると、定型ワイヤ１２が無い時は、底部無し防水オーバーシューズ１のトゥ前方の剛性と靭性を増加させる事で、定型ワイヤ１２無しの底部無し防水オーバーシューズ１を形成させる。
【００１８】
さらに、図３と図４−１、図４−２、図５及び図６によれば、図３に示す様に、前面カバー１０と後面カバー１１の溶接箇所に溶接される挟持固定部材１３は、防防水オーバーシューズが穿かれた後、挟持固定部材１３の緩衝部材１３１は靴の裏面に接近され、挟持固定部材１３の両端部は靴底の凹部１４０に挟持されて固定され、端部上面と底面には滑り止め部材１３２がそれぞれ設けられ、上面に設けられる滑り止め部材１３２はオーバーシューズの固持力を増加させ、底面に設けられる滑り止め部材１３２は地面と接触する際の滑り防止と全体に対する耐用性を提供する。
【００１９】
また、図４−１及び図４−２によれば、前面カバー１０の内側の環状部壁面には嵌凸部１０１が形成され定型ワイヤ１２を嵌通させて設置させ、二列の嵌凸部１０１の間に膠質物質を充填させて固持させ、また定型ワイヤ１２は形状記憶ワイヤ或いはプラスチックワイヤ又は細いワイヤロープ若しくは細いスプリングワイヤで実施され、このほか、定型ワイヤ１２が嵌凸部１０１に嵌入する時は、定型ワイヤ１２の前端に梯子形状が形成されて前面カバー１０の前縁部Ａに設けられ、これは直接地面に摩擦される可能性を低下させる事で耐用性を高める。
【００２０】
図５によると、挟持固定部材１３は前面カバー１０と後面カバー１１の間に溶接されて、挟持固定部材１３の両側には固定部材１３３がそれぞれ溶接若しくはリベットで固持され、固定部材１３３の中心部には管状の固着孔部１３３０が形成され、定型ワイヤ１２の両端部を穿設させ、前面カバー１０の外観の定型を高める。
また図６によると、底部無し防水オーバーシューズ１は前面カバー１０と後面カバー１１が互いに溶接される事で形成され、後面カバー１１の一辺には開口形状が形成され、開口端は重なり合い、この重なり合う部分の内側と外側にはマジックテープ（登録商標）部材１１１と１１０がそれぞれ設置され、底部無し防水オーバーシューズ１が穿かれた後、開口の一辺のマジックテープ（登録商標）部材１１１は他辺のマジックテープ（登録商標）部材１１０に貼り付けられ、被覆物の直径に合わせその貼り付ける範囲を調整させ、各種異なる直径の被覆物に適用可能となる。
【００２１】
図７は、本考案の底部無し防水オーバーシューズ１を靴１４及び腿１５に装着させて被覆させた概略図であり、前面カバー１０は靴１４の靴表面を被覆させ、定型ワイヤ１２には靴１４の前方部を部分的に包囲させ、挟持固定部材１３は靴の裏面の中心部に挟持されて設けられ、後面カバー１１は靴及び腿１５或いはズボンの裾等の部分を被覆させ、これにより、好ましい被覆性があり着脱の便利な底部無し防水オーバーシューズ１を提供する。
【００２２】
上述の実施形態は本考案の技術思想及び特徴を説明するためのものにすぎず、当該技術分野を熟知する者に本考案の内容を理解させると共にこれをもって実施させることを目的とし、本考案の特許請求の範囲を限定するものではない。従って、本考案の精神を逸脱せずに行う各種の同様の効果をもつ改良又は変更は、後述の請求項に含まれるものとする。
【符号の説明】
【００２３】
１        底部無し防水オーバーシューズ
１０      前面カバー
１０１    嵌凸部
１１      後面カバー
１０      マジックテープ（登録商標）部材
１１１    マジックテープ（登録商標）部材
１２      定型ワイヤ
１３      挟持固定部材
１３０    バネ片
１３１    緩衝部材
１３２    滑り止め部材
１３３    固定部材
１３３０  固着孔部
１３４    バッグ
１４      靴
１４０    凹部
１５      腿
Ａ        前縁部
【図１】
0003169562.tif 000003
【図２】
0003169562.tif 000004
【図３】
0003169562.tif 000005
【図４−１】
0003169562.tif 000006
【図４−２】
0003169562.tif 000007
【図５】
0003169562.tif 000008
【図６】
0003169562.tif 000009
【図７】
0003169562.tif 000010